(57)【要約】      （修正有）【課題】制御器を、昇降路内の火災等の影響を受けにくい場所に、昇降路の寸法を拡大することなく設置可能なマシンルームレスエレベータを提供する【解決手段】昇降路２内に配置された上下方向に延びる一対のかご側ガイドレール２１Ｌ，２１Ｒと、一対のかご側ガイドレール２１Ｌ，２１Ｒに沿って昇降する乗りかご２０と、昇降路２の頂部に配置され、乗りかご２０に主ロープ２７を介して連結された巻上機２５と、一対のかご側ガイドレール２１Ｌ，２１Ｒの少なくとも一方の上部に取り付けられた取り付け台６０と、取り付け台６０に水平方向を向く横置き状態で設けられた制御器７０と、を備え、制御器７０の一部は、平面視で乗りかご２０に重なる様には配置する。【選択図】図１
2018052649.tif 000002
【特許請求の範囲】
【請求項１】
マシンルームレスエレベータにおいて、昇降路内に配置された上下方向に延びる一対のかご側ガイドレールと、前記一対のかご側ガイドレールに沿って昇降する乗りかごと、前記昇降路の頂部に配置され、前記乗りかごに主ロープを介して連結された巻上機と、前記一対のかご側ガイドレールの少なくとも一方の上部に取り付けられた取り付け台と、前記取り付け台に水平方向を向く横置き状態で設けられた制御器と、を備え、前記制御器の一部は、平面視で前記乗りかごに重なる、マシンルームレスエレベータ。
【請求項２】
前記取り付け台は、前記一対のかご側ガイドレールの少なくとも一方に取り付けられた基部と、前記制御器が設けられ、ヒンジ機構を介して前記基部に回動可能に取り付けられた制御器載置部と、を有し、前記制御器載置部が回動して前記制御器が水平方向から垂直方向に向きを変える、請求項１に記載のマシンルームレスエレベータ。
【請求項３】
前記取り付け台は、前記制御器載置部を前記基部に対して回動不能に固定する留め具を有している、請求項２に記載のマシンルームレスエレベータ。
【請求項４】
前記制御器載置部の回動により動作し、前記乗りかごが前記制御器に干渉しないように前記制御器載置部の回動を通知する信号を発する回動通知ＳＷを更に備えた、請求項２に記載のマシンルームレスエレベータ。
【請求項５】
前記制御器は、通常制御ユニットと、回生抵抗ユニットとを有し、前記通常制御ユニットと前記回生抵抗ユニットは、互いに離間して配置されている、請求項１に記載のマシンルームレスエレベータ。
【請求項６】
前記巻上機または前記制御器の少なくとも一方は、最上階フロアレベルより上方に配置されている、請求項１に記載のマシンルームレスエレベータ。
【請求項７】
前記制御器は、前記制御器載置部が前記ヒンジ機構を介して回動して垂直方向を向くとき、平面視で前記乗りかご内に収まる、請求項２に記載のマシンルームレスエレベータ。
【請求項８】
前記制御器は、複数の制御ユニットを有し、少なくとも一つの制御ユニットは、その全ての部分が水平方向を向くとき、平面視で前記乗りかご内に収まる、請求項１に記載のマシンルームレスエレベータ。
【請求項９】
前記一対のかご側ガイドレールの上部に、これら一対のかご側ガイドレールを連結する連結ブラケットが設けられ、前記制御器は、同一方向に延びるとともに連結ブラケットの一側に設けられた一側制御ユニットと、連結ブラケットの他側に設けられた他側制御ユニットを含む複数の制御ユニットを有し、前記一側制御ユニットと前記他側制御ユニットの前記基部側の端部は、配線により互いに連結されている、請求項２に記載のマシンルームレスエレベータ。
【請求項１０】
前記制御器と前記巻上機は、平面視で互いに重なることはない、請求項１に記載のマシンルームレスエレベータ。
【請求項１１】
前記制御器の下面は、前記巻上機の上面よりも上方にある、請求項１に記載のマシンルームレスエレベータ。
【発明の詳細な説明】
【技術分野】
【０００１】
本発明の実施の形態は、マシンルームレスエレベータに関する。
【背景技術】
【０００２】
近年、巻上機を機械室に設置することなく、昇降路内に設置するマシンルームレスエレベータが主流となっている。マシンルームレスエレベータにおいては、昇降路内の限られた空間を効率的に活用することが要求される。
【先行技術文献】
【特許文献】
【０００３】
【特許文献１】特開２００７−２４６１９４号公報
【発明の概要】
【発明が解決しようとする課題】
【０００４】
ところで、機械室を持たないマシンルームレスエレベータにあっては、制御器も昇降路内に配置される。この場合、制御器は釣合錘等の他の部材との干渉を避けて配置される必要があるため、制御器の配置に制約が生じる。加えて、制御器は、火災等の非常事態の影響を受けにくい場所に設置されることが好ましく、このようなことを考慮した場合、制御器の配置場所はさらに制限されてしまう。
【０００５】
本発明は、このような点を考慮してなされたものであり、制御器を、昇降路内の火災等の影響を受けにくい場所に、昇降路の寸法を拡大することなく設置可能なマシンルームレスエレベータを提供することを目的とする。
【課題を解決するための手段】
【０００６】
一実施の形態によるマシンルームレスエレベータは、昇降路内に配置された上下方向に延びる一対のかご側ガイドレールと、一対のかご側ガイドレールに沿って昇降する乗りかごと、昇降路の頂部に配置され、乗りかごに主ロープを介して連結された巻上機と、一対のかご側ガイドレールの少なくとも一方の上部に取り付けられた取り付け台と、取り付け台に水平方向を向く横置き状態で設けられた制御器と、を備えている。制御器の一部は、平面視で前記乗りかごに重なる。
【図面の簡単な説明】
【０００７】
【図１】図１は、本発明の第１の実施の形態におけるマシンルームレスエレベータを示す斜視図である。
【図２】図２は、図１のマシンルームレスエレベータを後方から見た斜視図である。
【図３】図３は、図１のマシンルームレスエレベータを示す平面図である。
【図４】図４は、図１の制御器と取り付け台を示す側面図である。
【図５】図５は、本発明の第２の実施の形態におけるマシンルームレスエレベータの制御器と取り付け台を示す斜視図である。
【図６】図６は、図５の制御器と取り付け台を示す側面図である。
【図７】図７は、保守点検時の図５の制御器と取り付け台を示す斜視図である。
【図８】図８は、保守点検時の図５の制御器と取り付け台を示す側面図である。
【図９】図９は、保守点検時の図５の制御器と取り付け台を示す平面図である。
【発明を実施するための形態】
【０００８】
以下、図面を参照して本発明の実施の形態について説明する。
【０００９】
（第１の実施の形態）
図１乃至図４を参照し、第１の実施の形態におけるマシンルームレスエレベータについて説明する。
なお、以下の説明においては、ドア側から見て（図１参照）、乗りかごのドアが開閉する方向を左右方向と、乗客が乗りかご内から出る方向を前方と、乗客が乗りかご内に入り込む方向を後方と、鉛直方向を上下方向と言う。
また、図３及び図４では、明確化のため、主ロープの図示を省略する。
【００１０】
図１及び図２に示したマシンルームレスエレベータ１００は、昇降路２内に配置された上下方向に延びる左右一対のかご側ガイドレール２１Ｌ，２１Ｒと、この一対のかご側ガイドレール２１Ｌ，２１Ｒに案内されて昇降路２の内部を昇降する乗りかご２０とを備え、乗りかご２０の前面には左右方向に開閉する左右一対のドア２０ａ，２０ｂが設けられている。
また、乗りかご２０の後側面２０Ｍの側に配置されている釣合錘２２は、左右一対の錘側ガイドレール２３Ｌ，２３Ｒに案内されて昇降路２の内部を昇降する。
【００１１】
ドア２０ａ，２０ｂの側から見て左側のかご側ガイドレール２１Ｌ及び錘側ガイドレール２３Ｌの頂部間には、巻上機支持体２４が掛け渡されており、その上面には巻上機２５が載置され固定されている。
この巻上機２５が回転駆動するメインシーブ２６は、その外径が主ロープ２７の外径から定まる必要最小限の寸法に設定されており、かつ巻上機２５はこのメインシーブ２６とほぼ同径で長軸なものとなっている。
また、図３に示したように昇降路２を鉛直方向上方から見たときに（平面視において）、巻上機２５のメインシーブ２６側の端部が釣合錘２２の上方に位置しており、メインシーブ２６とは反対側の端部（前端）２５ａが乗りかご２０の左側面２０Ｌの前後方向の中央部上方に位置している。
さらに、巻上機２５及びメインシーブ２６は同軸であり、その軸線は図３に示したように、ドア２０ａ，２０ｂの側から見て乗りかご２０の左側面２０Ｌ、言い換えるとドア２０ａ，２０ｂの側から見て昇降路２の左側の内壁面２Ｌに平行に延びている。
加えて、メインシーブ２６には主ロープ２７が巻き掛けられており、乗りかご２０及び釣合錘２２を釣瓶状に懸架している。
なお、図１及び図２において、参照番号８０は、乗場最上階の構面を示している。したがって、図１及び図２から理解されるように、巻上機２５は、最上階フロアレベルより上方に配置されている。なお、後述する制御器７０が最上階フロアレベルより上方に配置されていれば、巻上機２５は最上階フロアレベルより下方に配置されていてもよい。より詳細には、巻上機２５または制御器７０の少なくとも一方が、最上階フロアレベルより上方に配置されていればよい。
【００１２】
一方、乗りかご２０の上部には、かご枠の一部を構成している上梁２８が左右方向に水平に延びている。
また、乗りかご２０の下面２０ｄには、図１及び図２から理解されるように、鉛直方向上方から見たときに上梁２８に対してＸ字形をなすように水平面内で前後左右方向に傾斜して延びるシーブ支持梁２９が配設されている。
さらに、このシーブ支持梁２９の両端部には、左右一対のかご側シーブ３０Ｌ，３０Ｒが、それぞれ回転自在に支持されている。これらのかご側シーブ３０Ｌ，３０Ｒは、図１及び図２から理解されるように、乗りかご２０の重心に対して対称に配置されている。
【００１３】
また、巻上機支持体２４の下方且つドア２０ａ，２０ｂの側から見て左側のかご側シーブ３０Ｌの上方には、２つのそらせシーブ５０ａ、５０ｂを含むそらせシーブユニット５０が設けられている。そらせシーブユニット５０は、巻上機支持体２４の下面の中央部から、ドア２０ａ，２０ｂの側から見て左側の錘側ガイドレール２３Ｌに向けて後方且つ下方に延びるそらせシーブベース５０ｃを有しており、そらせシーブベース５０ｃの下端部には２つのそらせシーブのうち一方のそらせシーブ、すなわち第１そらせシーブ５０ａが、そらせシーブベース５０ｃの上端部には他方のそらせシーブ、すなわち第２そらせシーブ５０ｂが、それぞれ回動自在に支持されている。
【００１４】
主ロープ２７のうち乗りかご２０を懸架する部分は、メインシーブ２６からドア２０ａ，２０ｂの側から見て左側のかご側シーブ３０Ｌに向かって、第１そらせシーブ５０ａ及び第２そらせシーブ５０ｂに、この配列順で巻回される部分２７ａと、左右一対のかご側シーブ３０Ｌ，３０Ｒの間で水平に延びる部分（図示せず）と、ドア２０ａ，２０ｂの側から見て右側のかご側シーブ３０Ｒから上方に延びて右側のヒッチ部３１に係止される部分２７ｃとを有し、乗りかご２０を２：１ローピングで懸架している。このようにして、昇降路２の頂部に配置された巻上機２５は、乗りかご２０に主ロープ２７を介して連結されている。
また、主ロープ２７のうち釣合錘２２を懸架する部分は、メインシーブ２６から下方に延びる部分２７ｄと，左右一対の錘側シーブ２２ａ，２２ｂの間で水平に延びる部分２７ｅと、ドア２０ａ，２０ｂの側から見て右側の錘側シーブ２２ｂに巻回されてから上方に延びて後方のヒッチ部３２に係止される部分２７ｆとを有し、釣合錘２２を２：１ローピングで懸架している。
なお、後方のヒッチ部３２は、左右一対の錘側ガイドレール２３Ｌ，２３Ｒの上端部に掛け渡された後方ヒッチ部支持体３３の上面、且つ、右側の錘側ガイドレール２３Ｒの上端部近傍に配設され、巻上機２５と同じ高さレベルにある。
【００１５】
一対のかご側ガイドレール２１Ｌ，２１Ｒの少なくとも一方の上部には、取り付け台６０が取り付けられている。図１乃至図４に示す形態では、一対のかご側ガイドレール２１Ｌ，２１Ｒの上部に、これら一対のかご側ガイドレール２１Ｌ，２１Ｒを連結する長尺状の連結ブラケット６１が設けられており、このような連結ブラケット６１の上面６１ｅに、平板な板状の取り付け台６０が、水平に固定されている。もちろん、取り付け台６０は、連結ブラケット６１の下面６１ｄに固定されていてもよい。また、取り付け台６０は、他の方法によってかご側ガイドレール２１Ｌ，２１Ｒの少なくとも一方に取り付けられていてもよいし、取り付け台６０の形状は、板状に限られない。
なお、取り付け台６０及び連結ブラケット６１は、例えば、鋼材等によって形成されることが好適である。
【００１６】
水平に取り付けられた取り付け台６０の下面６０ｄには、制御器７０が、水平方向を向く横置き状態で設けられている。制御器７０は、エレベータ１００の各部からの信号を受信して乗りかご２０の運行を制御するものであり、複数の制御ユニット、具体的には、通常制御ユニット７１と、回生抵抗ユニット７５とを有している。通常制御ユニット７１は、主回路ユニット７２と制御回路ユニット７３を含んでいる。図３に示すように、このような制御器７０が、その一部が平面視で乗りかご２０に重なるように配置されている。とりわけ図１乃至図４に示す形態では、少なくとも一つの制御ユニットが、具体的には回生抵抗ユニット７５が、その全ての部分が水平方向を向くとき、その全ての部分が平面視で乗りかご２０内に収まるように配置されている。
通常制御ユニット７１と回生抵抗ユニット７５は、通常制御ユニット７１が回生抵抗ユニット７５から発せられる熱の影響を受けることを防止するため、互いに離間して配置されている。とりわけ図１乃至図４に示す形態では、これらのユニット７１，７５は、連結ブラケット６１の一側と他側に、それぞれ、連結ブラケット６１と同一方向に延びるように配置されている。
また、図４に示すように、制御器７０の下面７２ｄ，７３ｄ，７５ｄは、巻上機２５の上面よりも上方にあるが、図３に示すように、制御器７０が巻上機２５から発せられる熱の影響を受けることを防止するため、制御器７０と巻上機２５は、平面視で互いに重ならないように配置されている。
【００１７】
乗りかご２０の上面２０ｅには、乗りかご２０の上面２０ｅ上に乗って制御器７０の保守点検作業を行う保守員の安全を確保するため、平面視で乗りかご２０の外周面に沿って、手摺り８５が設けられている。
【００１８】
次に、このような構成からなる第１の実施の形態の作用について説明する。
【００１９】
まず、通常運転時におけるエレベータ１００の作用について説明する。通常運転時において、巻上機２５がメインシーブ２６を回転駆動することにより、乗りかご２０が、左右一対のかご側ガイドレール２１Ｌ，２１Ｒに沿って昇降路２の内部を昇降する。同時に、釣合錘２２が、左右一対の錘側ガイドレール２３Ｌ，２３Ｒに案内されて昇降路２の内部を昇降する。この時、かご側ガイドレール２１Ｌ，２１Ｒの上部に取り付けられた取り付け台６０に、すなわち昇降路２の頂部の空間に、水平方向を向く横置き状態で設けられた制御器７０は、昇降路２内を昇降する乗りかご２０及び釣合錘２２と干渉することがない。
【００２０】
次に、制御器７０の保守点検時におけるエレベータ１００の作用について説明する。保守点検時において、巻上機２５がメインシーブ２６を回転駆動することによって、乗りかご２０を上昇させる。次に、乗りかご２０の上面２０ｅ上に乗った保守員が、取り付け台６０に設けられた制御器７０の保守点検作業を開始する。この場合、保守員は、手摺り８５の内側において、あるいは、手摺り８５に掴まって、上向きの姿勢で制御器７０の保守点検を行う。
【００２１】
このように第１の実施の形態によれば、マシンルームレスエレベータ１００において、昇降路２内に配置された上下方向に延びる一対のかご側ガイドレール２１Ｌ，２１Ｒと、一対のかご側ガイドレール２１Ｌ，２１Ｒに沿って昇降する乗りかご２０と、昇降路２の頂部に配置され、乗りかご２０に主ロープ２７を介して連結された巻上機２５と、一対のかご側ガイドレール２１Ｌ，２１Ｒの少なくとも一方の上部に取り付けられた取り付け台６０と、取り付け台６０に水平方向を向く横置き状態で設けられた制御器７０と、を備え、制御器７０の一部は、平面視で乗りかご２０に重なる。
このように、制御器７０がかご側ガイドレール２１Ｌ，２１Ｒの上部、すなわち昇降路２の頂部の空間に設けられていることにより、制御器７０が火災等の影響を受ける虞が低減される。
また、制御器７０を設ける取り付け台６０がエレベータ１００の既存の部材であるかご側ガイドレール２１Ｌ，２１Ｒに設けられており、さらに制御器７０が水平方向を向く横置き状態で、制御器７０の一部が平面視で乗りかご２０に重なるように配置されている。このことにより、エレベータ１００全体の外寸を拡大することなく、すなわち、エレベータ１００が設置される昇降路２の空間を拡大することなく、特には昇降路２の頂部の空間の上下方向の寸法を拡大することなく、制御器７０を設置することが可能である。とりわけ、第１の実施の形態の制御器７０は、複数の制御ユニット７２，７３，７５を有し、少なくとも一つの制御ユニットは、その全ての部分が水平方向を向くとき、平面視で乗りかご２０内に収まるように配置される。
【００２２】
また第１の実施の形態によれば、制御器７０の通常制御ユニット７１と回生抵抗ユニット７５とは、互いに離間して配置されている。このことにより、通常制御ユニット７１が、回生抵抗ユニット７５から発せられる熱の影響を受ける虞が低減される。
【００２３】
また第１の実施の形態によれば、制御器７０と巻上機２５は、平面視で互いに重なることのないように配置されている。このことにより、制御器７０が巻上機２５から発せられる熱の影響を受ける虞が低減される。
【００２４】
また第１の実施の形態によれば、制御器７０は、その下面７２ｄ，７３ｄ，７５ｄが巻上機２５の上面よりも上方にあるように配置される。このことにより、巻上機２５や巻上機２５の回転に伴って昇降する乗りかご２０及び釣合錘２２等、他の部材の配置に影響を与えることなく、制御器７０を昇降路２内に配置することが可能である。
【００２５】
また第１の実施の形態によれば、巻上機２５または制御器７０の少なくとも一方は、最上階フロアレベルより上方に配置されている。このことにより、巻上機２５または制御器７０の少なくとも一方が火災等の影響を受ける虞が低減される。
【００２６】
また第１の実施の形態によれば、乗りかご２０の上面２０ｅに、手摺り８５が設けられている。このことにより、乗りかご２０の上面２０ｅ上に乗って制御器７０を保守点検する保守員の安全が確保される。
【００２７】
（第２の実施の形態）
次に、図５乃至図９を参照し、第２の実施の形態におけるマシンルームレスエレベータについて説明する。
図５乃至図９に示す第２の実施の形態においては、取り付け台は、その一部が回動可能となっている点が異なるが、他の構成は、図１乃至図４に示す第１の実施の形態と略同一である。図５乃至図９に示す第２の実施の形態において、図１乃至図４に示す第１の実施の形態と同一部分には同一符号を付して詳細な説明は省略する。また、図５乃至図９においても、明確化のため、主ロープの表示を省略する。
【００２８】
図５乃至図９に示すように、第２の実施の形態においては、取り付け台６０は、一対のかご側ガイドレール２１Ｌ，２１Ｒの少なくとも一方に取り付けられた基部６２と、ヒンジ機構６４を介して基部６２に回動可能に取り付けられた制御器載置部６３と、を有している。制御器載置部６３には、制御器７０が設けられており、制御器載置部６３が回動することによって、制御器７０の向きが水平方向から垂直方向に変わるようになっている。
とりわけ図５乃至図９に示す形態では、基部６２は、全体として長尺状の部材であり、制御器載置部６３は、全体として平板な板状部材である。このような基部６２と制御器載置部６３とが、基部６２の長手方向の一側面６２ｒと制御器載置部６３の対応する側面６３ｒとにおいて、ヒンジ機構６４を介して互いに対して回動自在に接続されている。また、取り付け台６０は、連結ブラケット６１の下面６１ｄ側に、水平且つ制御器載置部６３が下方に向けて回動可能なように配置されている。この場合、取り付け台６０の基部６２は、平面視で連結ブラケット６１と垂直に交わる方向に配置されており、連結ブラケット６１に固定されている。
【００２９】
また、取り付け台６０は、制御器載置部６３を基部６２に対して回動不能に固定する留め具６５を有している。とりわけ図５乃至図９に示す形態では、制御器載置部６３は、留め具６５により、基部６２の側とは反対側の領域において連結ブラケット６１に固定される。このような留め具６５を用いて制御器載置部６３を連結ブラケット６１に固定することによって、制御器載置部６３を水平に維持することができるようになる。留め具６５としては、例えばアイボルト等、種々のものが採用可能である。
【００３０】
水平状態の制御器載置部６３の上面６３ｅには、制御器７０が配置されている。制御器７０は、複数の制御ユニット７１，７５を有しており、連結ブラケット６１の一側及び他側に、それぞれ、一側制御ユニット７５（回生抵抗ユニット）及び他側制御ユニット７１（通常制御ユニット）が、連結ブラケット６１と同一方向に延びるように設けられている。一側制御ユニット７５（回生抵抗ユニット）と、連結ブラケット６１と、他側制御ユニット７１（通常制御ユニット）の制御回路ユニット７３及び主回路ユニット７２は、連結ブラケット６１の一側から他側に向かって、この順で配置されている。
【００３１】
制御器７０は、図３に示す実施の形態と同様、少なくとも一つの制御ユニットが、その全ての部分が水平方向を向くとき、平面視で乗りかご２０内に収まるように配置されている。また、制御器７０は、制御器載置部６３がヒンジ機構６４を介して回動して垂直方向を向くとき、平面視で乗りかご２０内に収まるように配置されている（図９参照）。とりわけ図５乃至図９に示す形態では、制御器７０は、制御器載置部６３がヒンジ機構６４を介して回動して垂直方向を向くとき、平面視で乗りかご２０上の手摺り８５の内側に収まるように配置されている。
【００３２】
上述のように、連結ブラケット６１を境として連結ブラケット６１の一側と他側に各々一側制御ユニット７５及び他側制御ユニット７１が設けられ、このうち一側制御ユニット７５と、他側制御ユニット７１の制御回路ユニット７３は、基部６２側の端部７５ｇ，７３ｇにおいて配線７６により互いに連結されている。一方、連結ブラケット６１の他側に設けられた隣り合う主回路ユニット７２と制御回路ユニット７３は、基部６２側の端部７２ｇ，７３ｇとは反対側の端部７２ｈ，７３ｈにおいて配線７７により互いに連結されている。なお、主回路ユニット７２と制御回路ユニット７３は、基部６２側の端部７２ｇ，７３ｇにおいて配線７７により互いに連結されていてもよい。
【００３３】
取り付け台６０には、ヒンジ機構６４を介して制御器載置部６３が回動した場合に、乗りかご２０が下方を向く制御器７０に干渉しないように制御器載置部６３の回動を通知する信号を発する回動通知スイッチ（ＳＷ）６６が取り付けられている。とりわけ図５乃至図９に示す形態では、回動通知ＳＷ６６は、基部６２の制御器載置部６３と対向する側面６２ｒから突出する突出部６６ｐを有している。突出部６６ｐは、制御器載置部６３の向きが水平方向であるとき、すなわち基部６２の側面６２ｒと制御器載置部６３の側面６３ｒとが対向するとき、制御器載置部６３の側面６３ｒから押圧力を受ける。そして、回動通知ＳＷ６６は、ヒンジ機構６４を介して制御器載置部６３が回動して制御器載置部６３の側面６３ｒから突出部６６ｐへの押圧力が解除されると、制御器載置部６３の回動を通知する信号を発する。
【００３４】
次に、このような構成からなる第２の実施の形態の作用について説明する。
【００３５】
まず、通常運転時におけるエレベータ１００の作用について説明する。通常運転時において、取り付け台６０の制御器載置部６３は、留め具６５によって連結ブラケット６１に固定されており、水平に維持されている。このため、制御器載置部６３に設けられた制御器７０は、水平方向を向く横置き状態となっている。このようなエレベータ１００において、巻上機２５がメインシーブ２６を回転駆動することにより、乗りかご２０が、左右一対のかご側ガイドレール２１Ｌ，２１Ｒに沿って昇降路２の内部を昇降する。同時に、釣合錘２２が、左右一対の錘側ガイドレール２３Ｌ，２３Ｒに案内されて昇降路２の内部を昇降する。この時、昇降路２の頂部の空間に、水平方向を向く横置き状態で設けられた制御器７０は、昇降路２内を昇降する乗りかご２０及び釣合錘２２と干渉することがない。
【００３６】
次に、制御器７０の保守点検時におけるエレベータ１００の作用について説明する。この場合も、まず、取り付け台６０の制御器載置部６３は、留め具６５によって連結ブラケット６１に固定されており、水平に維持されている。このため、制御器載置部６３に設けられた制御器７０は、水平方向を向く横置き状態となっている。このようなエレベータ１００において、巻上機２５がメインシーブ２６を回転駆動することによって、乗りかご２０を上昇させる。次に、乗りかご２０の上面２０ｅ上に乗った保守員が、留め具６５を取り外し、制御器載置部６３を下方に回動させて、制御器７０の向きを水平方向から垂直方向下向きに変える。次に、乗りかご２０上において、保守員は、垂直方向を向いた制御器７０の保守点検作業を開始する。この場合、保守員は、正面を向いたまま保守点検を行う。
制御器載置部６３が下方に回動されると、制御器載置部６３から回動通知ＳＷ６６の突出部６６ｐへの押圧力が解除される。これにより、回動通知ＳＷ６６は、制御器載置部６３の回動を通知する信号を発する。制御ユニット７０は、回動通知ＳＷ６６からの信号により、巻上機２５にロックを掛ける。これにより、制御器７０が下方を向いている間、乗りかご２０は動かず、下方を向く制御器７０と乗りかご２０とが互いに干渉することがない。また、制御ユニット７０は、回動通知ＳＷ６６からの信号を取得すると、図示しない通知装置によって、ヒンジ機構６４の回動をエレベータ１００の外部及び／または内部の保守員等に通知する。
【００３７】
なお、言うまでもなく、回動通知ＳＷ６６は、留め具６５等の不具合によって、制御器載置部６３が意図せずして垂直方向を向いた場合にも、制御器載置部６３の回動を通知する信号を発する。
【００３８】
このように第２の実施の形態によれば、取り付け台６０は、一対のかご側ガイドレール２１Ｌ，２１Ｒの少なくとも一方に取り付けられた基部６２と、制御器７０が設けられ、ヒンジ機構６４を介して基部６２に回動可能に取り付けられた制御器載置部６３と、を有し、制御器載置部６３が回動して制御器７０が水平方向から垂直方向に向きを変えるようになっている。これにより、制御器７０の保守点検時において、保守員は、制御器載置部６３を回動させて制御器７０の向きを水平方向から垂直方向に変えることができ、垂直方向を向いた制御器７０を、正面を向いたまま保守点検することができる。
【００３９】
また第２の実施の形態によれば、取り付け台６０は、制御器載置部６３を基部６２に対して回動不能に固定する留め具６５を有している。これにより、基部６２に対して回動可能な制御器載置部６３の向きを、保守点検時以外は、水平方向に維持することが容易である。
【００４０】
また第２の実施の形態によれば、エレベータ１００は、制御器載置部６３の回動により動作し、乗りかご２０が制御器７０に干渉しないように制御器載置部６３の回動を通知する信号を発する回動通知ＳＷ６６を更に備えている。これにより、保守点検時における意図的な、あるいは留め具６５等の不具合による意図的でない制御器載置部６３の回動によって制御器７０が垂直方向に向きを変えたとき、乗りかご２０が制御器７０に干渉しないように乗りかご２０の運行を制御することが可能である。
【００４１】
また第２の実施の形態によれば、一対のかご側ガイドレール２１Ｌ，２１Ｒの上部に、これら一対のかご側ガイドレール２１Ｌ，２１Ｒを連結する連結ブラケット６１が設けられ、制御器７０は、同一方向に延びるとともに連結ブラケット６１の一側に設けられた一側制御ユニット７５と、連結ブラケット６１の他側に設けられた他側制御ユニット７１を含む複数の制御ユニットを有し、一側制御ユニット７５と他側制御ユニット７１の基部６２側の端部７５ｇ，７３ｇは、配線７６により互いに連結されている。基部６２側の端部７５ｇ，７３ｇは、制御器載置部６３が水平方向から垂直方向に回動するとき、その変位が最も少ない部位である。連結ブラケット６１を境として連結ブラケット６１の一側と他側に配置された制御ユニット７５，７１を互いに連結する配線７６がこのような端部７５ｇ，７３ｇに配置されていることにより、制御器載置部６３が回動する際に配線７６が連結ブラケット６１に引っかかってしまって制御器載置部６３の回動が阻害される、ということがない。
【００４２】
本発明のいくつかの実施の形態を説明したが、これらの実施の形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。また、当然のことながら、本発明の要旨の範囲内で、これらの実施の形態を、部分的に適宜組み合わせることも可能である。
【符号の説明】
【００４３】
２：昇降路、２１Ｌ，２１Ｒ：かご側ガイドレール、２０：乗りかご、２７：主ロープ、２５：巻上機、６０：取り付け台、６２：基部、６３：制御器載置部、６４：ヒンジ機構、６５：留め具、６６：回動通知ＳＷ、７０：制御器、７１：通常制御ユニット、７５：回生抵抗ユニット、１００：マシンルームレスエレベータ
【図１】
2018052649.tif 000003
【図２】
2018052649.tif 000004
【図３】
2018052649.tif 000005
【図４】
2018052649.tif 000006
【図５】
2018052649.tif 000007
【図６】
2018052649.tif 000008
【図７】
2018052649.tif 000009
【図８】
2018052649.tif 000010
【図９】
2018052649.tif 000011
【手続補正書】
【提出日】平成29年8月23日(2017.8.23)
【手続補正１】
【補正対象書類名】特許請求の範囲
【補正対象項目名】全文
【補正方法】変更
【補正の内容】
【特許請求の範囲】
【請求項１】
マシンルームレスエレベータにおいて、昇降路内に配置された上下方向に延びる一対のかご側ガイドレールと、前記一対のかご側ガイドレールに沿って昇降する乗りかごと、前記昇降路の頂部に配置され、前記乗りかごに主ロープを介して連結された巻上機と、前記一対のかご側ガイドレールの少なくとも一方の上部に取り付けられた取り付け台と、前記取り付け台に水平方向を向く横置き状態で設けられた制御器と、を備え、前記制御器の一部は、平面視で前記乗りかごに重なり、
前記取り付け台は、前記一対のかご側ガイドレールの少なくとも一方に取り付けられた基部と、前記制御器が設けられ、ヒンジ機構を介して前記基部に回動可能に取り付けられた制御器載置部と、を有し、前記制御器載置部が回動して前記制御器が水平方向から垂直方向に向きを変え、
前記制御器は、前記制御器載置部が前記ヒンジ機構を介して回動して垂直方向を向くとき、平面視で前記乗りかご内に収まる、マシンルームレスエレベータ。
【請求項２】
前記一対のかご側ガイドレールの上部に、これら一対のかご側ガイドレールを連結する連結ブラケットが設けられ、前記制御器は、同一方向に延びるとともに連結ブラケットの一側に設けられた一側制御ユニットと、連結ブラケットの他側に設けられた他側制御ユニットを含む複数の制御ユニットを有し、前記一側制御ユニットと前記他側制御ユニットの前記基部側の端部は、配線により互いに連結されている、請求項１に記載のマシンルームレスエレベータ。
【請求項３】
マシンルームレスエレベータにおいて、昇降路内に配置された上下方向に延びる一対のかご側ガイドレールと、前記一対のかご側ガイドレールに沿って昇降する乗りかごと、前記昇降路の頂部に配置され、前記乗りかごに主ロープを介して連結された巻上機と、前記一対のかご側ガイドレールの少なくとも一方の上部に取り付けられた取り付け台と、前記取り付け台に水平方向を向く横置き状態で設けられた制御器と、を備え、前記制御器の一部は、平面視で前記乗りかごに重なり、
前記取り付け台は、前記一対のかご側ガイドレールの少なくとも一方に取り付けられた基部と、前記制御器が設けられ、ヒンジ機構を介して前記基部に回動可能に取り付けられた制御器載置部と、を有し、前記制御器載置部が回動して前記制御器が水平方向から垂直方向に向きを変え、
前記一対のかご側ガイドレールの上部に、これら一対のかご側ガイドレールを連結する連結ブラケットが設けられ、前記制御器は、同一方向に延びるとともに連結ブラケットの一側に設けられた一側制御ユニットと、連結ブラケットの他側に設けられた他側制御ユニットを含む複数の制御ユニットを有し、前記一側制御ユニットと前記他側制御ユニットの前記基部側の端部は、配線により互いに連結されている、マシンルームレスエレベータ。
【請求項４】
前記取り付け台は、前記制御器載置部を前記基部に対して回動不能に固定する留め具を有している、請求項１〜３のいずれか一項に記載のマシンルームレスエレベータ。
【請求項５】
前記制御器載置部の回動により動作し、前記乗りかごが前記制御器に干渉しないように前記制御器載置部の回動を通知する信号を発する回動通知ＳＷを更に備えた、請求項１〜４のいずれか一項に記載のマシンルームレスエレベータ。
【請求項６】
前記制御器は、通常制御ユニットと、回生抵抗ユニットとを有し、前記通常制御ユニットと前記回生抵抗ユニットは、互いに離間して配置されている、請求項１〜５のいずれか一項に記載のマシンルームレスエレベータ。
【請求項７】
前記巻上機または前記制御器の少なくとも一方は、最上階フロアレベルより上方に配置されている、請求項１〜６のいずれか一項に記載のマシンルームレスエレベータ。
【請求項８】
前記制御器は、複数の制御ユニットを有し、少なくとも一つの制御ユニットは、その全ての部分が水平方向を向くとき、平面視で前記乗りかご内に収まる、請求項１〜７のいずれか一項に記載のマシンルームレスエレベータ。
【請求項９】
前記制御器と前記巻上機は、平面視で互いに重なることはない、請求項１〜８のいずれか一項に記載のマシンルームレスエレベータ。
【請求項１０】
前記制御器の下面は、前記巻上機の上面よりも上方にある、請求項１〜９のいずれか一項に記載のマシンルームレスエレベータ。